(57)【特許請求の範囲】
【請求項１】
打球用具における打撃時の振動振幅が大きくなる用具部位に装着され、伸縮性を有する軟質素材からなるリング体（１）と、多数個の振動子（２）を具備し、前記リング体（１）の内部に、前記振動子（２）を環状に連ねて埋設し、かつ、一体化してなることを特徴とする打球用具における連振動防止具。
【請求項２】
打球用具における打撃時の振動振幅が大きくなる用具部位に装着され、伸縮性を有する軟質素材からなるリング体（１）と、多数個の振動子（２）を具備し、前記リング体（１）の内部に、前記振動子（２）を環状に連ねて複数列に埋設し、かつ、一体化してなることを特徴とする打球用具における連振動防止具。
【請求項３】
伸縮性または非伸縮性の軟質素材からなるベルト体（１′）を設け、その内部に、多数個の振動子（２）を長手方向に連ねて埋設し、かつ、一体化するとともに、該ベルト体（１）表面の長手方向に対して交叉するカット溝（４）を一定間隔置きに設け、さらに表裏面のいずれかには両面接着テープを設けてなることを特徴とする打球用具における連振動防止具。
【請求項４】
伸縮性または非伸縮性の軟質素材からなるベルト体（１′）を設け、その表面に、多数個の振動子（２）を長手方向に連ねて突出して設け、かつ、一体化するとともに、該ベルト体（１）表面の長手方向に対して交叉するカット溝（４）を一定間隔置きに設け、さらに裏面には両面接着テープを設けてなることを特徴とする打球用具における連振動防止具。
【請求項５】
振動子（２）の形状が、球、円板、立方体、長方体、板体、線状体、帯状体から選ばれたものであることを特徴とする請求項１乃至４のいずれか１項記載の打球用具における連振動防止具。
【発明の詳細な説明】
【０００１】
【発明の属する技術分野】
この発明は、打球用具における連振動防止具に関するものであり、打球用具とはテニスラケット、ソフトテニスラケット、スカッシュラケット、バトミントンラケット、ラケットボール、ゴルフクラブ、野球バット、その他、あらゆる打球用具をいう。
【０００２】
【従来の技術】
従来、テニスラケットは、打球時の衝撃振動はガットからフレームに伝搬し、続いて、グリップ部から掌握部を経て手首、肘等身体に伝わり、衝撃振動による腱鞘炎やテニスエルボーなどの障害として問題視されている。
【０００３】
従来、テニスラケットの場合、衝撃振動を緩和するためグリップエンド底面部やフレームシャフト内部に装着する防振具があるが、フレームシャフト外周部に脱着可能に装着する防振具は存在していない。
【０００４】
そもそも、打球時に身体に伝わるフレームシャフト振動で最も大きく、身体の障害発生に影響を与える代表的な振動は、フレームシャフト固有の基本モードである２節曲げモード約１２０Ｈｚ、他に比較的振動数の高い３節曲げモード約３３０Ｈｚ、２節ねじりモード約３６０Ｈｚ、ストリングスの一次膜振動モード約５６０Ｈｚであり、その他にも振動数の高い約２０００Ｈｚ迄の多くの振動があり、主な振動モードにはフレームシャフト上にそれぞれ特有の無振動部「節」を形成している。
【０００５】
そして、主な振動モードの節の状況は、図９に示すように白黒の境界線部分となっており、その節から離れた部位はフレームシャフトの振幅が大きくなった部分で、振動の「腹」といい、特にラケットの基本振動モードとして、不快な打球感や身体への障害に大きな影響を与えるものは、２節、３節曲げモードとなっており、両モード共通の「腹」となる部位に、防振具を装着する箇所とすることが相応しいと考えられる。
【０００６】
図10に示すラケットフエイス部分（Ｂ１，Ｂ２，Ｂ３，Ｂ４）、グリップエンド上部部位（Ａ）、また、フレームシャフトのエンド付近部位（Ｃ）のそれぞれ部位は、比較的高速度なセンター打撃において、発生する３節曲げモードの振幅の大きな「腹」となっており、この部位に防振具を装着させることにより、センター打撃時の打球感を向上させることができるものである。
【０００７】
また、この部位は、主に低速度打撃やオフセンター打撃に発生する２節曲げモードにおいても同様に「腹」になっており、同様に打撃感を向上させることができる箇所である。
【０００８】
【発明が解決しようとする課題】
そこで、この発明は、打球による衝撃振動が発生源からフレームシャフト部を通じ掌握部を経て、人の身体に伝搬することに鑑み、衝撃振動を伝搬するフレームシャフトに防振具を着脱自在に装着し、衝撃振動を減衰させ、衝撃振動による身体への障害を防止する連振動防止具を開発・提供することにある。
【０００９】
【課題を解決するための手段】
この発明は、伸縮性を有する軟質素材でリング体、あるいはベルト体を設け、これらの内部・表面に、連なる振動子を複数個設け、これらを打球用具の「腹」となる部位に装着することにより、衝撃振動を防止するものである。
【００１０】
【発明の実施の形態】
この発明の一実施例を図１、図２に従って説明すると、伸縮性を有する軟質素材でリング体（１）を設け、該リング体（１）の内部に、連なる振動子（２）多数個を、埋設したことを特徴とする打球用具の連振動防止具から構成される。
【００１１】
尚、リング体（１）の形状は、図１に示すように輪状であったり、あるいは、図２に示すように、四角形の枠状であり、リング体（１）の内径は、ラケット（Ｘ）のフレームシャフト（Ｗ）外径よりやや小さく形成し、グリップエンドの底部より拡張して挿入し、所定の位置まで移動して装着するものである。
【００１２】
また、この発明の他の実施例を図３、図４に従って説明すると、弾力性を有する素材で幅広のリング体（１）を設け、該リング体（１）の内部に、連なる振動子（２）多数個を、複数列、埋設したことを特徴とする打球用具の連振動防止具から構成される。
【００１３】
尚、図３は、野球バット（Ｙ）のグリップ掌握部に、グリップエンド底部より拡張して装着するものである。
さらに、図４は、ゴルフクラブ（Ｚ）のグリップ部とシャフトとの間に装着するものである。
【００１４】
さらに、この発明のさらに他の実施例を図５、図６に従って説明すると、伸縮性の有する軟質素材で、または非伸縮性を有する素材でベルト体（１′）を設け、該ベルト体（１′）の内部に、連なる振動子（２）を多数個を埋設し、あるいは外部に突出して設け、表裏面のいずれかに、両面接着テープ（３）を設けたことを特徴とする打球用具の連振動防止具から構成されるものである。
【００１５】
尚、図５は、ラケット（Ｘ）のフレームシャフト（Ｗ）外周部に螺旋状に巻き、両面接着テープ（３）で装着したものである。さらに、図６に示すように、ラケット（Ｘ）のグリップ（レザーまたはラバー）（Ｖ）の裏面に、スパイラルに凹部を形成するか、あるいは、フレームシャフト（Ｗ）に、スパイラルに凹部を形成し、これら凹部に沿ってベルト体（１′）を内蔵するものである。
【００１６】
また、伸縮性の有する軟質素材からなるリング体（１）の内部に埋設した連なる振動子（２）、または非伸縮性を有する素材でベルト体（１′）の表面に設けた連なる振動子（２）の形状は、球、円板、立方体、長方体、板体（図７参照）、線状体・帯状体〔リング体（１）に使用する際は、高比重ゴムを素材とする（図８（ｃ）、図８（ｄ）参照〕等が考えらる。
【００１７】
さらに、図８に示すように、ベルト体（１′）の表面に、一定間隔置きに、カット溝（４）を設けておけば、最小１個から使用者の必要な長さでカットする際の、目安にできるよう構成する。
【００１８】
尚、各カット溝（４）は、ベルト体（１′）の長さ方向と直交方向に設けているが、図６に示すように、スパイラルに巻く場合もあり、カット溝（４）は斜め方向にそれぞれ設けてもよいものである。
【００１９】
【発明の効果】
この発明によると、伸縮性を有する軟質素材を素材としたリング体（１）、あるいはベルト体（１′）に、連なる振動子（２）を組み合わせたものであり、リング体（１）、ベルト体（１′）は、フレームシャフト（Ｗ）と連なる振動子（２）とを隔離した構造となり打球衝撃によるフレームシャフト振動を、リング体（１）、ベルト体（１′）を介して連なる振動子（２）の運動エネルギーに転化し、連なる振動子（２）の振動が、フレームシャフト（Ｗ）の振動のタイミングがずれて振動するため、フレームシャフト振動を減衰させる効果が発生するものである。
【００２０】
また、この発明の大きな特徴は、伸縮性を有する軟質素材を素材としたリング体（１）に、分離した振動子（２）を用いることにより、伸縮や変形が自在であるため、異なる装着部位の湾曲した形状に沿って装着できるものである。
【００２１】
さらに、リング本体（１）は、伸縮性を有する軟質素材から構成しており、拡張して所定の部位に装着できるため、衝撃による離脱がない。
【００２２】
また、ベルト体（１′）の場合には、表裏面の一に両面接着テープ（３）を設けたことにより、装着が便利である等極めて有益なる効果を奏するものである。
【図面の簡単な説明】
【図１】この発明の一実施例を示し、（ａ）は正面図、（ｂ）は断面図である。
【図２】この発明の一実施例の使用例を示し、（ａ）は一部欠截側面図、（ｂ）は側面図である。
【図３】この発明のさらに他の実施例の使用例を示し、（ａ）は、一部欠截側面図、（ｂ）は側面図である。
【図４】この発明のさらに他の実施例を示す一部欠截断面図である。
【図５】この発明のさらに他の実施例を示す一部欠截側面図である。
【図６】この発明のさらに他の実施例を示す一部欠截側面図である。
【図７】この発明のさらに他の実施例の使用例を示し、（ａ）は、一部欠截側面図、（ｂ）は側面図である。
【図８】この発明のさらに他の実施例の使用例を示し、（ａ）、（ｂ）、（ｃ）は、それぞれ側面図であり、（ｄ）は断面図である。
【図９】（ａ）（ｂ）（ｃ）（ｄ）ともに、振動モードを示す説明図である。
【図１０】比較的高速度なセンター打撃において、発生する３節曲げモードの振幅の大きな「腹」となる部位を示す説明図である。
【符号の説明】
１  リング体
１′ベルト体
２  振動子
３  両面接着テープ
４  カット溝
Ｖ  グリップ
Ｗ  フレームシャフト
Ｘ  ラケット
Ｙ  野球バット
Ｚ  ゴルフクラブ
【図１】
0003656136.tif 000002
【図２】
0003656136.tif 000003
【図３】
0003656136.tif 000004
【図４】
0003656136.tif 000005
【図５】
0003656136.tif 000006
【図６】
0003656136.tif 000007
【図７】
0003656136.tif 000008
【図８】
0003656136.tif 000009
【図９】
0003656136.tif 000010
【図１０】
0003656136.tif 000011